(57)【要約】  本発明は、ムービングワイパーを具備したマスカラ容器に関し、容器本体の上部に結合するブラシワイパーと、ブラシ棒の外周面を包んで摺動可能に結合するブラシ棒ワイパーと、の二重ワイパー構造で構成され、容器本体からマスカラ部を引き出す過程でブラシワイパーによってブラシについている内容物を払い落とすことができることは勿論、ブラシ棒ワイパーによってブラシ棒の外周面についている内容物を払い落としてブラシ棒を清潔に維持することができる。
2018508282.tif 000002
【特許請求の範囲】
【請求項１】
内容物を貯蔵する容器本体と、
前記容器本体の上部に螺合するマスカラ部であって、前記マスカラ部の中央部から下側へ延在し前記容器本体の内部に挿入されるブラシ棒と、前記ブラシ棒の下端に結合するブラシとで構成されるマスカラ部と、
前記容器本体の上部に結合し、前記ブラシに付着する内容物をワイピングするブラシワイパーと、を含むマスカラ容器において、
前記マスカラ部は、前記ブラシ棒の外周面を包んで長さ方向にスライドできるように係合するブラシ棒ワイパーをさらに含み、
前記ブラシ棒ワイパーは、前記マスカラ部が前記容器本体に螺合した状態で、前記ブラシワイパーの内側に係合して固定され、前記ブラシ棒を前記容器本体から引き出す過程で、前記ブラシ棒についている内容物をワイピングし、ブラシ棒の先端部を加圧することによって前記ブラシワイパーとの係合が解除され、ブラシ棒と連動して引き出されるように構成される
ことを特徴とする、ムービングワイパーを具備したマスカラ容器。
【請求項２】
前記ブラシワイパーの内周面には、前記ブラシ棒を容器本体に挿入するか、または、容器本体から引き出す過程で、前記ブラシ棒ワイパーの移動を一時的に制限する制限突起が形成される
ことを特徴とする、請求項１に記載のムービングワイパーを具備したマスカラ容器。
【請求項３】
前記ブラシ棒の下部には、前記ブラシ棒を前記容器本体から引き出す過程で、前記ブラシ棒ワイパーの下端を加圧し、前記ブラシ棒ワイパーを前記制限突起の上部に移動させる第１加圧部を具備し、
前記ブラシ棒の上部には、前記ブラシ棒を前記容器本体に挿入する過程で、前記ブラシ棒ワイパーの上端を加圧し、前記ブラシ棒ワイパーを前記制限突起の下部に移動させる第２加圧部を具備する
ことを特徴とする、請求項２に記載のムービングワイパーを具備したマスカラ容器。
【発明の詳細な説明】
【技術分野】
【０００１】
本発明は、ムービングワイパーを具備したマスカラ容器に関し、より詳細には、容器本体の上部に結合するブラシワイパーと、ブラシ棒の外周面を包んで摺動可能に結合するブラシ棒ワイパーの二重ワイパー構造で構成されることにより、容器本体からブラシ部を引き出す過程でブラシワイパーによってブラシについている内容物を払い落とすことができることは勿論、ブラシ棒ワイパーによってブラシ棒の外周面についている内容物を払い落とし、ブラシ棒を清潔に保つことができるムービングワイパーを具備したマスカラ容器に関する。
【背景技術】
【０００２】
一般的に、マスカラは、ブラシにマスカラ液をつけて、まつげを整え、上方にカーリング（ｃｕｒｌｉｎｇ）し、または、まつげを豊かに見せるための化粧品として、まつげを美しくするためのまつげ化粧に使用される。
【０００３】
前記のようなマスカラを貯蔵して使用するマスカラ容器は、マスカラ液を貯蔵し、該マスカラ容器の上部に排出部を具備した容器本体と、前記排出部に螺合する結合部が形成されたマスカラ部であって、前記マスカラ部の中央部には、下側に延在し、前記容器本体の内部に挿入され、前記マスカラ部の下端にブラシを結合したブラシ棒が一体に形成されるマスカラ部と、前記マスカラ部を包んで結合するカバー部と、で構成され、このようなマスカラ容器は、ゲル状のマスカラ液を貯蔵した容器本体から前記マスカラ部を取り出し、ブラシに吸収された内容物をまつげにつけることで、まつげ化粧が行われる。
【０００４】
前記マスカラ容器には、容器本体から前記マスカラ部を取り出す時に、ブラシについている内容物を掃き落とし、一定量払い落とすように、容器本体の上部にワイパーが定置されている。このようなワイパーを具備したマスカラ容器が大韓民国登録実用新案第２０−０３９７６０４号（以下、特許文献１と呼ぶ）に記載されている。
【０００５】
特許文献１は、一定量のマスカラを充填した容器及び蓋と、この蓋に取り付けられるブラシ棒及びブラシと、このブラシについたマスカラの水分蒸発の防止と、引き出すことによってブラシについたマスカラをワイピングする第１、第２のワイパーの２段構造を具備したマスカラ容器において、
前記第１ワイパーの上部から下部に向けて嵌入される第２ワイパーは、前記容器の入口上端に係止されるフランジの上部及び周縁を折曲り端が包んで組み立てられ、下端で下方中央に一定角度だけ屈曲された多数の放射状の刃と、これらの放射状の刃の間の長さ方向に一定の幅を有する内容物通過穴及び中央にブラシ棒が通過する中心穴が貫通された２段ワイパーを具備することが特徴である。
【０００６】
前記特許文献１は、ブラシの使用に適したマスカラ液が付着して出るように、二重
ワイパー構造で形成されるものであり、第１，２ワイパーによってブラシについている内容物をワイピングすることは可能であるが、ブラシ棒についている内容物をワイピングするための構造を具備していないため、ブラシ棒の外周面についている内容物を払い落とすことが困難であるという問題があった。
【先行技術文献】
【特許文献】
【０００７】
【特許文献１】大韓民国登録実用新案第２０−０３９７６０４号公報
【発明の概要】
【発明が解決しようとする課題】
【０００８】
本発明は、上述した問題点を解決するために考案されたものであり、本発明の目的は、容器本体の上部に結合するブラシワイパーと、ブラシ棒の外周面を包んで摺動可能に結合するブラシ棒ワイパーの二重ワイパー構造で構成することにより、容器本体からブラシ部を引き出す過程でブラシワイパーによってブラシについている内容物を払い落とすことができることは勿論、ブラシ棒ワイパーによってブラシ棒の外周面についている内容物を払い落とし、ブラシ棒を清潔に維持することができるムービングワイパーを具備したマスカラ容器を提供する。
【課題を解決するための手段】
【０００９】
前記のような問題点を解決するために、本発明に係るムービングワイパーを具備したマスカラ容器は、内容物を貯蔵する容器本体と、前記容器本体の上部に螺合し、その中央部から下側へ延長され、前記容器本体の内部に挿入されるブラシ棒、及び、前記ブラシ棒の下端に結合するブラシで構成されるマスカラ部と、前記容器本体の上部に結合し、前記ブラシについている内容物をワイピングするブラシワイパーと、を含むマスカラ容器において、
前記のマスカラ部は、前記ブラシ棒の外周面を包んで、長さ方向へスライドできるように結合するブラシ棒ワイパーをさらに含み、
前記ブラシ棒ワイパーは、前記マスカラ部を前記容器本体に結合した状態で、前記ブラシワイパーの内側に係合して固定され、前記ブラシ棒を前記容器本体から引き出す過程で、前記ブラシ棒についている内容物をワイピングし、ブラシ棒の先端部を加圧することによって、ブラシワイパーとの係合が解除され、ブラシ棒と連動して引き出されるように構成されることを特徴とする。
【００１０】
また、前記ムービングワイパーを具備したマスカラ容器は、前記ブラシワイパーの内周面に、前記ブラシ棒を前記容器本体に挿入するか、または、前記容器本体から引き出す過程で、前記ブラシ棒ワイパーの移動を一時的に制限する制限突起が形成されることを特徴とする。
【００１１】
また、前記ムービングワイパーを具備したマスカラ容器は、前記ブラシ棒の下部に、前記ブラシ棒を前記容器本体から引き出す過程で、前記ブラシ棒ワイパーの下端を加圧し、前記ブラシ棒ワイパーを、前記制限突起の上部に移動させる第１加圧部を具備し、前記ブラシ棒の上部には、前記ブラシ棒を前記容器本体に挿入する過程で、前記ブラシ棒ワイパーの上端を加圧し、前記ブラシ棒ワイパーを前記制限突起の下部に移動させる第２加圧部を具備することを特徴とする。
【発明の効果】
【００１２】
上記のように、本発明によれば、前記ムービングワイパーを具備したマスカラ容器を、容器本体の上部に結合するブラシワイパーと、ブラシ棒の外周面を包んで摺動可能に結合するブラシ棒ワイパーの二重ワイパー構造で構成することで、容器本体からマスカラ部を引き出す過程で、ブラシワイパーによってブラシについている内容物を払い落とすことができることは勿論、ブラシ棒ワイパーによってブラシ棒の外周面についている内容物を払い落とし、ブラシ棒を清潔に維持することができる利点がある。
【００１３】
また、容器本体からマスカラ部を引き出す過程で、ブラシワイパーの内側に固定されて結合するブラシ棒ワイパーが、ブラシ棒の外周面についている内容物を、まず払い落とし、ブラシ棒の先端加圧部によってブラシ棒と一緒に引き出した後、ブラシに残っている内容物をブラシワイパーによってワイピングするように構成されることにより、ブラシが、内周が相対的に狭いブラシ棒ワイパーを通過しない構造なので、ブラシの変形を防止することができる利点がある。
【図面の簡単な説明】
【００１４】
【図１】本発明の好ましい実施例に係る、ムービングワイパーを具備したマスカラ容器の構成を示す分解斜視図である。
【図２】本発明の好ましい実施例に係る、ムービングワイパーを具備したマスカラ容器の、容器本体からマスカラ部を引き出した状態を示す斜視図である。
【図３】本発明の好ましい実施例に係る、ムービングワイパーを具備したマスカラ容器の構成を示す組立断面図である。
【図４】図４（ａ）、（ｂ）は、本発明の好ましい実施例に係る、ムービングワイパーを具備したマスカラ容器の動作状態図である。
【図５】図５（ｃ）、（ｄ）は、本発明の好ましい実施例に係る、ムービングワイパーを具備したマスカラ容器の動作状態図である。
【図６】図６（ｅ）、（ｆ）、（ｇ）は、本発明の好ましい実施例に係る、ムービングワイパーを具備したマスカラ容器の動作状態図である。
【発明を実施するための形態】
【００１５】
以下、図面を参照して本発明を詳細に説明する。各図面に提示された同一の参照符号は、同一の部材を示す。
【００１６】
図１は、本発明の好ましい実施例に係る、ムービングワイパーを具備したマスカラ容器の構成を示す分解斜視図であり、図２は、本発明の好ましい実施例に係る、ムービングワイパーを具備したマスカラ容器の容器本体からマスカラ部を引き出した状態を示す斜視図であり、図３は、本発明の好ましい実施例に係る、ムービングワイパーを具備したマスカラ容器の構成を示す組立断面図である。
【００１７】
図１〜図３を参照すると、本発明の好ましい実施例に係るムービングワイパーを具備したマスカラ容器は、容器本体１００、マスカラ部２００、および、ブラシワイパー３００を含む。
【００１８】
容器本体１００は、マスカラ液のような液状の内容物を貯蔵するものであり、その上部には内容物を排出する排出部１１０が形成され、排出部１１０の外周面には、マスカラ部２００の結合部２１０と螺合することができるように、第１ネジ山１１１が形成される。
【００１９】
マスカラ部２００は、容器本体１００の上部に螺合するものであり、排出部１１０を包んで着脱可能に螺合する結合部２１０を具備し、結合部２１０の内周面には、第１ネジ山１１１と螺合することができるように、第２ネジ山２１１が形成される。
【００２０】
結合部２１０の中央部には、結合部２１０が排出部１１０に結合した状態で、容器本体１００の内部に挿入されるブラシ棒２２０が下側に延在し、ブラシ棒２２０の下端には、容器本体１００に貯蔵した内容物を塗布することができるように内容物を吸収するブラシ２３０が結合される。
【００２１】
本発明において、ブラシ棒２２０には、ブラシ棒２２０の外周面を包んで長さ方向にスライドできるようにブラシ棒ワイパー２４０が結合されることが特徴であり、ブラシ棒ワイパー２４０は、マスカラ部２００が容器本体１００に結合した状態で、ブラシワイパー３００の内側に係合して固定され、ブラシ棒２２０を容器本体１００から引き出す過程で、ブラシ棒２２０についている内容物をワイピングするように構成され、ブラシ棒２２０の引き出しが完了した時点で、ブラシ棒２２０の先端部に形成される第１加圧部２２１の加圧によって、ブラシワイパー３００との係合が解除され、ブラシ棒２２０と連動して引き出される。
【００２２】
このため、ブラシ棒２２０の下部には、ブラシ棒２２０を容器本体１００から引き出す過程で、ブラシ棒ワイパー２４０の下端を加圧し、ブラシ棒ワイパー２４０を制限突起３１０の上部に移動させることで、ブラシ棒ワイパー２４０を連動させて引き出せるようにする第１加圧部２２１を具備する。
【００２３】
一方、ブラシ棒２２０の上部には、ブラシ棒２２０を容器本体１００に挿入する過程で、ブラシ棒ワイパー２４０の上端を加圧し、ブラシ棒ワイパー２４０を、制限突起３１０の下部に移動させることで、ブラシ棒ワイパー２４０をブラシワイパー３００の内側に固定させる第２加圧部２２２を具備する。
【００２４】
また、ブラシ棒ワイパー２４０は、マスカラ部２００を容器本体１００に結合した状態で、ブラシワイパー３００の内側に係合して固定することができるようにブラシワイパー３００よりサイズが小さく形成され、好ましくはブラシ棒２２０の外周面に密着し、ブラシ棒２２０のみが通過できるほどの口径を持つような大きさに形成されることが好ましい。
【００２５】
一方、マスカラ部２００の外側には、マスカラ部２００を包むカバー部４００が結合され、カバー部４００は、ユーザーが把持できる所定の長さで構成され、ユーザーの操作による回転により、その内側に結合するマスカラ部２００を回転することができる。
【００２６】
ブラシワイパー３００は、容器本体１００の上部に結合し、容器本体１００からマスカラ部２００を引き出す過程で、ブラシ２３０についている内容物をワイピングするものであり、本発明において、ブラシワイパー３００の内周面には、ブラシ棒２２０を容器本体１００に挿入するか、または、容器本体１００から引き出す過程で、ブラシ棒ワイパー２４０の移動を一時的に制限する制限突起３１０が形成されることが特徴である。
【００２７】
制限突起３１０は、ブラシ棒２２０を容器本体１００に挿入する時に、ブラシ棒ワイパー２４０の上端部を支持し、ブラシ棒ワイパー２４０が下方向へ移動することを制限し、第２加圧部２２２がブラシ棒ワイパー２４０を加圧し、ブラシ棒ワイパー２４０が制限突起３１０の下部に移動した状態では、ブラシ棒ワイパー２４０が上方へ移動することを制限する。
【００２８】
以下では、図４〜６を参照して、本発明の好ましい実施例に係るムービングワイパーを具備したマスカラ容器の動作過程を説明する。
【００２９】
まず、図４および５を参照すると、容器本体１００の排出部１１０にマスカラ部２００の結合部２１０が螺合した状態で、カバー部４００を回転すると、排出部１１０の第１ネジ山１１１と結合部２１０の第２ネジ山２１１の螺合が解除され、容器本体１００からマスカラ部２００を引き出すことができる。このとき、ブラシ棒ワイパー２４０の上端が制限突起３１０によって支持され、ブラシ棒ワイパー２４０の上昇が制限された状態なので、ブラシ棒２２０の上昇過程でブラシ棒ワイパー２４０がブラシ棒２２０の外周面についている内容物を掃き落とすことができる。
【００３０】
上記のように、ブラシ棒２２０が上昇し、ブラシ棒２２０の下部に具備した第１加圧部２２１がブラシ棒ワイパー２４０の下端に当接すると、第１加圧部２２１の加圧によって、ブラシ棒ワイパー２４０が制限突起３１０から外れ、上方へ移動する。これにより、容器本体１００からブラシ棒２２０を引き出す時に、ブラシ棒ワイパー２４０が連動して引き出される。
【００３１】
上記のように、ブラシ棒２２０が引き出される過程で、ブラシ棒２２０の先端に結合したブラシ２３０についている内容物は、ブラシワイパー３００によってワイピングされる。
【００３２】
次に、図６を参照すると、マスカラ部２００を容器本体１００に挿入するとき、ブラシ棒ワイパー２４０の上端が、ブラシワイパー３００の制限突起３１０に係止された状態でブラシ棒２２０が下降し、ブラシ棒２２０の上部に具備した第２加圧部２２２がブラシ棒ワイパー２４０の上端に当接されると、第２加圧部２２２の加圧によって、ブラシ棒ワイパー２４０が制限突起３１０から外れて下方へ移動する。
【００３３】
上記のように、ブラシ棒ワイパー２４０が制限突起３１０の下部に移動すると、ブラシ棒ワイパー２４０の上端が制限突起３１０によって係止され、上方への移動が制限される。これにより、内容物の使用のためにマスカラ部２００を引き出す時に、ブラシ棒２２０の外周面についている内容物をワイピングすることができる。
【００３４】
本発明は、前述したように、容器本体１００からマスカラ部２００を引き出す過程で、ブラシワイパー３００の内側に係合し固定されるブラシ棒ワイパー２４０がブラシ棒２２０の外周面についている内容物を、まず払い落とし、ブラシ棒２２０の先端加圧部２２１によって、ブラシ棒２２０に連動して引き出された後、ブラシ２３０についている内容物をブラシワイパー３００によってワイピングするように構成することにより、ブラシ棒２２０を清潔に維持することができるだけではなく、ブラシ２３０が、相対的に内周の狭いブラシ棒ワイパー２４０を通過しない構造なので、ブラシ２３０の変形を防止することができる。
【００３５】
図面と明細書で最適の実施例を開示した。本明細書で特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【図１】
2018508282.tif 000003
【図２】
2018508282.tif 000004
【図３】
2018508282.tif 000005
【図４】
2018508282.tif 000006
【図５】
2018508282.tif 000007
【図６】
2018508282.tif 000008
【国際調査報告】
2018508282.tif 000009
2018508282.tif 000010
2018508282.tif 000011
2018508282.tif 000012